(57)【特許請求の範囲】
【請求項１】
ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記Ｓ／Ｔ点の起動要求は、前記ＩＳＤＮ端末側からのみ行なうことを特徴とするＩＳＤＮユーザ・網インタフェースにおける基本インタフェースと一次群速度インタフェースとの接続方法。
【請求項２】
ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立することを特徴とするＩＳＤＮユーザ・網インタフェースにおける基本インタフェースと一次群速度インタフェースとの接続方法。
【請求項３】
ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立することを特徴とするＩＳＤＮユーザ・網インタフェースにおける基本インタフェースと一次群速度インタフェースとの接続方法。
【請求項４】
ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記Ｓ／Ｔ点の起動要求は、前記ＩＳＤＮ端末側からのみ行なうことを特徴とするＩＳＤＮユーザ・網インタフェースにおける基本インタフェースと一次群速度インタフェースとの接続方法。
【請求項５】
ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立することを特徴とするＩＳＤＮユーザ・網インタフェースにおける基本インタフェースと一次群速度インタフェースとの接続方法。
【発明の詳細な説明】
【０００１】
【発明の属する技術分野】
本発明はＩＳＤＮ（Ｉｎｔｅｇｒａｔｅｄ  Ｓｅｒｖｉｃｅｓ  Ｄｉｇｉｔａｌ  Ｎｅｔｗｏｒｋ：サービス統合ディジタル通信網）ユーザ・網インタフェースにおける基本インタフェースと一次群速度インタフェースとの接続方法に関し、特にＩＳＤＮユーザ・網インタフェースにおける基本インタフェースと一次群速度インタフェースとを直接接続するＩＳＤＮユーザ・網インタフェースにおける基本インタフェースと一次群速度インタフェースとの接続方法に関する。
【０００２】
【従来の技術】
従来のＩＳＤＮユーザ・網インタフェースにおける基本インタフェースと一次群速度インタフェースとの接続方法におけるシステム構成図である図３を参照すると、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）−Ｔ勧告Ｉ．４３０基本インタフェースを有するＩＳＤＮ端末５−１〜５−Ｎは、Ｉ．４３１一次群速度インタフェース側Ｓ／Ｔ点１と接続する場合、通常、ＩＳＤＮ交換機６を介して接続される。
【０００３】
つまり、ＩＴＵ−Ｔ勧告Ｉ．４３０インタフェースは、既存の時分割多重化（ＴＤＭ）装置３−１〜３−ＮおよびＴＤＭ装置８−１〜８−Ｎによる「Ｓ／Ｔ点延長システム構成」により延長することも可能であるが、ＩＴＵ−Ｔ勧告Ｉ．４３０基本インタフェースを持つＩＳＤＮ端末をＩＴＵ−Ｔ勧告Ｉ．４３１一次群速度インタフェースへ接続するには、ＩＳＤＮ交換機６を介する必要であった。
【０００４】
次に、図３のシステム構成図における従来のＩＳＤＮユーザ・網インタフェースにおける基本インタフェースと一次群速度インタフェースとの接続方法を、図４におけるＳ／Ｔ点の起動・停止シーケンス図を参照して、その動作手順を説明する。
【０００５】
▲１▼．ＩＳＤＮ端末５−１〜５−Ｎは停止状態にある場合、送出信号は無信号である（ＩＴＵ−Ｔ勧告のＩＮＦＯ０信号）。
【０００６】
▲２▼．ＩＳＤＮ端末５−１〜５−Ｎ側から起動を開始する場合、非同期起動信号であるＩＴＵ−Ｔ勧告の「ＩＮＦＯ１」信号を送出し、それを受けたＩ．４３０側のＴＤＭ装置３−１〜３−Ｎは、ＩＳＤＮ交換機６側に「ＩＮＦＯ１」信号を中継し、ＩＳＤＮ交換機６に対して「ＩＮＦＯ１」信号が送出される。
【０００７】
▲３▼．ＩＳＤＮ交換機６側は「ＩＮＦＯ１」信号を受信すると、ＩＳＤＮ端末５−１〜５−Ｎ側に同期起動信号としてＩＴＵ−Ｔ勧告の「ＩＮＦＯ２」信号を送出する。
【０００８】
▲４▼．「ＩＮＦＯ２」信号は、Ｉ．４３０のＩＳＤＮ端末５−１〜５−Ｎ側へ中継され、ＩＳＤＮ端末５−１〜５−Ｎは「ＩＮＦＯ２」信号を受け、同期応答であるＩＴＵ−Ｔ勧告の「ＩＮＦＯ３」信号を送出する。
【０００９】
▲５▼．「ＩＮＦＯ３」信号は、ＩＳＤＮ交換機６側へ中継され、それを受けたＩＳＤＮ交換機６は同期応答であるＩＴＵ−Ｔ勧告の「ＩＮＦＯ４」信号をＩＳＤＮ端末５−１〜５−Ｎ側へ送出する。
【００１０】
▲６▼．ＩＳＤＮ端末５−１〜５−Ｎは「ＩＮＦＯ４」信号を受け、レイヤ１の起動が確立し、通信可能となる。
【００１１】
▲７▼．通信完了の場合、ＩＳＤＮ端末５−１〜５−Ｎ側からＩＳＤＮ交換機６側に対して「ＩＮＦＯ０」信号を送出し、停止状態となる。
【００１２】
▲８▼．ＩＳＤＮ交換機６側から起動する場合は、ＩＳＤＮ端末５−１〜５−Ｎ側に同期起動信号として「ＩＮＦＯ２」信号を送出することから始まり、以後、同様のシーケンスとなる。
【００１３】
【発明が解決しようとする課題】
従来のＩＳＤＮユーザ・網インタフェースにおける基本インタフェースと一次群速度インタフェースとの接続方法において、ＩＴＵ−Ｔ勧告Ｉ．４３０基本インタフェースを有するＩＳＤＮ端末をＩＴＵ−Ｔ勧告Ｉ．４３１一次群速度インタフェース側Ｓ／Ｔ点に接続するためにはＩＳＤＮ交換機が必要であった。そのため、Ｉ．４３０基本インタフェースとＩ．４３１一次群速度インタフェースとの直接接続ができず、システム規模が大きくなり、高価なものになっていた。
【００１４】
従って、本発明の目的は、既存の時分割多重化（ＴＤＭ）装置に、Ｉ．４３１インタフェース部接続のための専用の制御部を新たに設けることにより、ＩＳＤＮ交換機を設けることなく、Ｉ．４３０基本インタフェースとＩ．４３１一次群速度インタフェースとの直接接続を実現することにある。
【００１５】
【課題を解決するための手段】
本発明のＩＳＤＮユーザ・網インタフェースにおける基本インタフェースと一次群速度インタフェースとの接続方法は、ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記Ｓ／Ｔ点の起動要求は、前記ＩＳＤＮ端末側からのみ行なう。
【００１６】
また、本発明のＩＳＤＮユーザ・網インタフェースにおける基本インタフェースと一次群速度インタフェースとの接続方法は、ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立する。
【００１７】
また、本発明のＩＳＤＮユーザ・網インタフェースにおける基本インタフェースと一次群速度インタフェースとの接続方法は、ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立する。
【００１８】
また、本発明のＩＳＤＮユーザ・網インタフェースにおける基本インタフェースと一次群速度インタフェースとの接続方法は、ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記Ｓ／Ｔ点の起動要求は、前記ＩＳＤＮ端末側からのみ行なう。
【００１９】
また、本発明のＩＳＤＮユーザ・網インタフェースにおける基本インタフェースと一次群速度インタフェースとの接続方法は、ＩＴＵ−Ｔ勧告のＩＳＤＮユーザ・網インタフェースにおけるＩ．４３０基本インタフェースとＩ．４３１一次群速度インタフェースとの接続において、前記Ｉ．４３１一次群速度インタフェース側Ｓ／Ｔ点と前記Ｉ．４３０基本インタフェース側Ｓ／Ｔ点との接続をＩＳＤＮ交換機を介さない直接接続で行ない、前記Ｉ．４３１一次群速度インタフェース側Ｓ／Ｔ点と前記Ｉ．４３０基本インタフェース側Ｓ／Ｔ点との前記直接接続は、前記Ｉ．４３１一次群速度インタフェース側Ｓ／Ｔ点と直接接続される第１の時分割多重化装置と前記Ｉ．４３０基本インタフェース側Ｓ／Ｔ点と直接接続される第２の時分割多重化装置とからなるＳ／Ｔ点延長システム構成により行ない、前記直接接続は、前記Ｉ．４３１一次群速度インタフェース側の同期が確立して起動が完了したことを前記第１の時分割多重化装置が前記Ｉ．４３０基本インタフェース側へ通知伝送してレイヤ１の起動を完了させた後行ない、前記第１の時分割多重化装置は、前記Ｉ．４３１一次群速度インタフェース側の伝送路断等障害を検出していない場合は前記第２の時分割多重化装置に対して前記ＩＴＵ−Ｔ勧告のＩＮＦＯ４信号を生成し送出することにより、前記Ｉ．４３０基本インタフェース側の各Ｓ／Ｔ点インタフェース部が前記ＩＮＦＯ４信号を入力して自らに接続されているＩＳＤＮ端末に対し常時前記ＩＮＦＯ４信号を送出し続け、これにより前記ＩＳＤＮ端末は、起動を開始する場合には即時に起動を確立する。
【００２１】
【発明の実施の形態】
次に、本発明の一実施の形態について図面を参照して説明する。
【００２２】
図１は本発明の一実施の形態のＩＳＤＮユーザ・網インタフェースにおける基本インタフェースと一次群速度インタフェースとの接続方法におけるシステム構成図である。
【００２３】
このシステム構成において、ＩＴＵ−Ｔ勧告のＩ．４３１一次群速度インタフェースとＩ．４３０基本インタフェース間は、基本インタフェース延長システム（Ｓ／Ｔ点延長システム構成）により、信号の転送が可能である。
【００２４】
つまり、Ｉ．４３１側からの信号を、Ｉ．４３１インタフェース部２１にて同期確立後、Ｉ．４３１Ｓ／Ｔ点起動信号をＩ．４３０側に送信する。Ｉ．４３０側は、これを受けてレイヤ１の確立を行い、Ｉ．４３１側とＩ．４３０側間の通信が可能となる。
【００２５】
続いて本発明の一実施の形態のＩＳＤＮユーザ・網インタフェースにおける基本インタフェースと一次群速度インタフェースとの接続方法におけるシステム構成の動作について、図１と図２を併せて参照して説明する。
【００２６】
図２は本発明の一実施の形態のＩＳＤＮユーザ・網インタフェースにおける基本インタフェースと一次群速度インタフェースとの接続方法における常時起動シーケンスを示す図である。
【００２７】
▲１▼．Ｉ．４３１側のＴＤＭ装置２は、伝送路断等のアラーム（ＡＬＭ）を検出しない限り、Ｉ．４３０側のＴＤＭ装置３−１〜３−Ｎに対してＩＴＵ−Ｔ勧告の「ＩＮＦＯ４」信号を生成し送出する。
【００２８】
▲２▼．Ｉ．４３０側のＳ／Ｔ点インタフェース部であるＩ．４３０Ｓ／Ｔ点４−１〜４−Ｎの各々はこれを受けて、各々に接続されているＩＳＤＮ端末５−１〜５−Ｎに対し、常時ＩＴＵ−Ｔ勧告の「ＩＮＦＯ４」信号を送出し続ける。
【００２９】
▲３▼．これによってＩＳＤＮ端末５−１〜５−Ｎの各々は、常に「ＩＮＦＯ４」信号を受信している状態のため、起動を開始したければ、即時に起動を確立させることが可能である。
【００３０】
▲４▼．Ｉ．４３１側の一次群速度伝送路に障害が発生した場合、ＴＤＭ装置２はこれを検出し、Ｉ．４３０側に対しＩＴＵ−Ｔ勧告の「ＩＮＦＯ０」信号を生成して送出する。Ｉ．４３０側のＳ／Ｔ点インタフェース部であるＩ．４３０Ｓ／Ｔ点４−１〜４−Ｎの各々はこれを受け、各々に接続されているＩＳＤＮ端末５−１〜５−Ｎに対して「ＩＮＦＯ０」信号を送出し、Ｉ．４３０Ｓ／Ｔ点は停止状態となる。
【００３１】
これら一連のシーケンスにおいて、Ｓ／Ｔ点の起動要求は、Ｉ．４３０基本インタフェースを有するＩＳＤＮ端末５−１〜５−Ｎ側からのみ行われ、Ｉ．４３１側は伝送路の同期確立をもって、Ｉ．４３１側Ｓ／Ｔ点の起動完了とする。その後、Ｉ．４３０側に起動完了通知を送信してレイヤ１の同期が確立し、Ｉ．４３１Ｓ／Ｔ点１〜Ｉ．４３０Ｓ／Ｔ点４−１〜４−Ｎ間で通信が可能となる。
【００３２】
【発明の効果】
以上説明したように本発明によれば、ＩＳＤＮユーザ・網インタフェースにおける基本インタフェースと一次群速度インタフェースとの接続において、ＩＴＵ−Ｔ勧告Ｉ．４３１一次群速度インタフェース側Ｓ／Ｔ点であるＩ．４３１Ｓ／Ｔ点とＩＴＵ−Ｔ勧告Ｉ．４３０基本インタフェース側Ｓ／Ｔ点であるＩ．４３０Ｓ／Ｔ点との接続を、ＩＳＤＮ交換機を設けることなく時分割多重化（ＴＤＭ）装置からなるＳ／Ｔ点延長システム構成のみを介して直接接続することができるため、ＩＳＤＮ交換機を設ける必要がなく、安価なシステム構成が可能となる。
【図面の簡単な説明】
【図１】本発明の一実施の形態のＩＳＤＮユーザ・網インタフェースにおける基本インタフェースと一次群速度インタフェースとの接続方法におけるシステム構成図である。
【図２】同実施の形態のＩＳＤＮユーザ・網インタフェースにおける基本インタフェースと一次群速度インタフェースとの接続方法における常時起動シーケンスを示す図である。
【図３】従来のＩＳＤＮユーザ・網インタフェースにおける基本インタフェースと一次群速度インタフェースとの接続方法におけるシステム構成図である。
【図４】従来のＩＳＤＮユーザ・網インタフェースにおける基本インタフェースと一次群速度インタフェースとの接続方法における起動・停止シーケンスを示す図である。
【符号の説明】
１    Ｉ．４３１Ｓ／Ｔ点
２    時分割多重化（ＴＤＭ）装置
３−１〜３−Ｎ    時分割多重化（ＴＤＭ）装置
４−１〜４−Ｎ    Ｉ．４３０Ｓ／Ｔ点
５−１〜５−Ｎ    ＩＳＤＮ端末
２１    Ｉ．４３１インタフェース部
２２    Ｉ．４３１側Ｓ／Ｔ点起動信号送信部
２３−１〜２３−Ｎ    伝送路インタフェース部
３０−１    伝送路インタフェース部
３０−２    Ｉ．４３０インタフェース部
【図１】
0003746938.tif 000002
【図２】
0003746938.tif 000003
【図３】
0003746938.tif 000004
【図４】
0003746938.tif 000005